(57)【要約】【課題】海草類等を増殖させ、魚類の生態育成にも効果的な微弱な電位差を生じる電位界着床生育空間が構成できる簡易な構造の人工漁礁を提供する。【解決手段】棚状の枠体内に、複数の多孔性無機質材を組み合わせ配列して海草類等の着床空間を構成して成り、海に沈めて使用する人工漁礁において、上記多孔性無機質材を所定数毎にまとめて、それらの両側に海水で腐食されない導電性基質材を対峙させて、電位界着床生育空間を構成している。【選択図】図１
2005137239.tif 000002
【特許請求の範囲】
【請求項１】
棚状の枠体内に、複数の多孔性無機質材を組み合わせ配列して海草類等の着床空間を構成して成り、海に沈めて使用する人工漁礁において、
上記多孔性無機質材を所定数毎にまとめて、それらの両側に海水で腐食されない導電性基質材を対峙させて、電位界着床生育空間を構成するようにしていることを特徴する人工漁礁。
【請求項２】
請求項１において、
上記多孔性無機質材は素焼瓦で構成され、かつ、上記導電性基質材は、燻瓦で構成されていることを特徴とする人工漁礁。
【発明の詳細な説明】
【技術分野】
【０００１】
本発明は、新規な構成の人工漁礁に関する。
【背景技術】
【０００２】
従来、効率よく漁を行ったり、幼稚魚を育成したりする目的等で海底に設置される人工漁礁には、コンクリート、金属、木、ゴム、合成樹脂等の様々な材料や形状のものが使用されており、例えば、棚状の枠体に形成し、これら各棚に複数の多孔性無機質材を組み合わせ配列した海草類等の着床空間を形成したものがある。
【０００３】
そして、この人工漁礁を海底に沈めて設置しておけば、やがて上記着床空間に海草類や貝類の幼生、プランクトンなどの微生物（以下、「海草類等」と呼ぶ。）が着床され、この着床された海草類等を餌巣とする様々な魚類を、この人工漁礁近傍に棲み付かせている。（例えば、特許文献１参照。）。
【特許文献１】特開２００３−２１９７５５号
【発明の開示】
【発明が解決しようとする課題】
【０００４】
しかしながら、このような着床空間は海草類等が上手く着床しなければ、この海草類等を餌とする様々な魚類を棲み付かせることができない。
【０００５】
そのため、少しでも海草類等の着床を促すことができるように、様々な形状、構造を工夫した人工漁礁が開発されているが、本発明者らは、長年の経験を土台として、海草類等が繁殖して、魚類等に有益な生育環境が得られるような海中での環境条件を種々な角度から鋭意検討を行った結果、一定の微弱な電位差の生じる電位界空間を形成すれば、動植物の繁殖、育成を助長させることを知得し、本発明に到達した。  
したがって、本発明は、上記のような研究課題を解決し得た、動植物の繁殖、生育に有益な電位界着床生育空間を形成することのできる、新規な構造の人工漁礁を提供することを目的としている。
【課題を解決するための手段】
【０００６】
上記目的を達成するため、
請求項１に係る人工漁礁は、複数の多孔性無機質材を組み合わせ配列して海草類等の着床空間を構成した、海に沈めて使用する人工漁礁において、上記多孔性無機質材を所定数毎にまとめて、それらの両側に海水で腐食されない導電性基質材を対峙させて、電位界着床生育空間を構成した点を特徴とする。
【０００７】
このものでは、導電性基質材を対峙させた空間が、海中に浸漬されたときには、所定の微弱な電位差を生じるようにしているので、上記電位界着床生育空間に設置された複数の多孔性無機質材の表面に海草類等の着床を促すことができる。
【０００８】
請求項２に係る人工漁礁は、請求項１において、上記多孔性無機質材は素焼瓦で構成され、かつ、上記導電性基質材は、燻瓦で構成されていることを特徴とする。
【０００９】
このものでは、多孔性無機質材は素焼瓦、導電性基質材は燻瓦で各々構成されているので、瓦の特性である粗面性・吸水性が良く、海草類等の着床をより確実に促すことができる。
【００１０】
また、原料が粘土を固めて焼成したものであるため、自然環境に優しく、強度にも優れているうえ、低コストで量産できる。
【発明の効果】
【００１１】
本発明によれば、次のような効果がある。
請求項１によれば、人工漁礁を海中に沈めたときには、対峙させた導電性基質材で挟まれ、無機質材を組み合わせて構成された空間は、電解質溶液内に一組の導電極が対峙され配置された状態となるので、動植物の繁殖、生育に有用な微弱な電位界着床生育空間を形成する。
そのため、多孔性無機質材を組み合わせて形成された空間の物理的な構造的特徴に加えて、魚類等の餌となる海草や微生物に電気的な刺激を与えて繁殖させることができるので、魚類を生育させるため、極めて有益な生育環境が保持される。
【００１２】
請求項２に係る人工漁礁によれば、多孔性無機質材は素焼瓦、導電性基質材は燻瓦で各々構成されているので、瓦の特性である粗面性、吸水性に優れ、更に適度な強度を持った電位界着床生育空間が確保できる。
【００１３】
また、原料が粘土であるため、自然環境に優しく、強度的にも優れ、海水による浸食や耐蝕もなく耐久性に優れ、低コストで量産できる。
【発明を実施するための最良の形態】
【００１４】
以下、本発明に係る人工漁礁を図面とともに説明する。
【実施例】
【００１５】
図１は、本発明に係る人工漁礁の基本構造を示す一実施例の全体斜視図であり、図２は、本発明に係る人工漁礁を構成する培養ユニットの一実施例を示す概略斜視図である。
この人工漁礁Ａは、潮の流れが激しい海底に定置させるために、四角状に形成したコンクリートブロック土台１の角部に鉄筋、硬質樹脂等の骨部材２を立設し、この骨部材２には、図２に示した培養ユニット３を溶接、ボルトなどで強固に組付けて構成される。
図例では、培養ユニット３を骨部材２に固着して、棚状の枠体を間隔をあけて上、下２段に形成している。
【００１６】
コンクリートブロック土台１は、そのまま海底に沈めたり、或いは、海底に埋設するなどして、潮の流れによって移動しないように設置している。
【００１７】
骨部材２の上端には、クレーン等で吊下げるためのフック部２１を設けており、このフック部２１にチェーン、ロープなどを通し、上記クレーン等で人工漁礁Ａを吊下げて搬送させれば、海底の所望位置まで安定した状態で人工漁礁Ａを海底に沈めることができる。
【００１８】
培養ユニット３は、複数の多孔性無機質材４を組み合わせ配列することによって、やや複雑で規則正しい海草類等の着床空間５を構成している。
【００１９】
図２は、培養ユニット３の一実施例を示しており、この培養ユニット３は、両端に環状の鉄枠フレーム３１、３１を設け、これらの鉄枠フレーム３１、３１に長尺の鉄枠支持フレーム３２を複数本架設して、その内部に多孔性無機質材４と、導電性基質材６とを固定し、配列している。
【００２０】
すなわち、多孔性無機質材４を所定数毎にまとめて、それらの両側には、導電性基質材６を対峙させて、電位界着床生育空間７を形成しており、培養ユニット３には、このような電位界着床生育空間７が複数組配列形成されている。
【００２１】
ここに、多孔性無機質材４と導電性基質材６は、海中に沈めたときに、充分な強度があり、かつ海水で侵食したり、腐食しない素材が望ましく、更に、海草類等が繁殖しやすい微弱な電位界着床育成空間７を構成するためには、多孔性無機質材４は、海草類が着床しやすい寸法の孔部を有した非導電体であり、逆に導電性基質材６は導電性を有し、かつ、海水や電気分解によって溶出せず、さらに、微弱電位を保持するためには海草類等が着床し難い安定した素材が望ましい。  
図に示した実施例では、多孔性無機質材４には素焼瓦を用い、導電性基質材６には、燻瓦を用いており、素焼瓦４は、隣設する他の素焼瓦４とは背面を向き合わせるようにして複数枚を整列させ、その外側から燻瓦６を対峙させて、広狭の連続した着床空間５を形成しており、両側に対峙された燻瓦６は、鉄枠フレーム３１や鉄枠支持フレーム３２とは直接接触しないように、パッキンなどの絶縁材を介在させ、電気的に導通させない構造にしている。
【００２２】
図２に示したような培養ユニット３によれば、素焼瓦４の表面は、凹凸であるため、海草類等が着床し易く、また、素焼瓦４の湾曲を利用して組み合わされた狭い空間は潮通しを良くし、飼料生物の発生と幼稚魚の保護育成に適しており、他方の燻瓦は、均質で強固な炭素皮膜を形成しているので、適度な導電性があり、海水で浸食されたり、腐食したり、溶出することがないため海中での使用にも充分に耐えうる。
【００２３】
複数の素焼瓦４をこのようにして規則正しく配列させて、素焼瓦４の湾曲を利用して広狭空間を形成したものは、自然環境に優しい上に、海草類等の繁殖がしやすく、かつ潮流や魚類の出入りも容易なため、人工漁礁Ａとして望ましいことが、本発明者らの長年の経験で実証されている。（図２、図３（ａ）参照）。
【００２４】
なお、図２のバルーンで示された図は、素焼瓦４で構成された電位界着床生育空間７に海草類等８が着床した様を示している。
【００２５】
次いで、本発明の原理を実験結果とともに説明する。
図３（ａ）、（ｂ）は、本発明に係る人工漁礁の基本原理を説明する図である。
【００２６】
これらの実験図において、図１、図２に対応する部材には、同一番号を付し、その説明は省略する。
【００２７】
実験例は、図３に示すように、図１、図２で示す培養ユニット３と同じ配列構造を有した実験模型を水槽内に形成することで行った。
【００２８】
海水（塩水）で満たされた水槽３Ａ内に、一対の燻瓦６を、それぞれの窪んだ面が対向するように約４５ｃｍの間隔をあけて対峙させ、更に、その間には複数の素焼瓦４を、背面が相互に向き合うように配列して広狭の着床空間５を形成し、燻瓦６、６同士を通電線で、電位測定器Ｖ（高インピーダンス）に接続して、着床空間５の電位差を計測したところ、電位測定器Ｖでは、６０ｍＶ〜１１０ｍＶの電位差（電圧）を計測することができた。
【００２９】
この実験でも解るように、海水（塩水）内に導電性のある燻瓦（炭素被膜を持つ瓦）を一定間隔をあけて対峙すれば、給電手段がなくても、その間には一定の微弱電位差（電圧）が生じることが確認された。
また、水槽３Ａ内の温度や水質を変えて、同様な実験を行った結果、燻瓦間の電位差は、その空間を充たす海水の温度、電解質濃度、濁り具合などによって変動するが、これらの条件を整えれば、いずれも動植物の生殖、繁殖、生育に有益な電気的刺激を与えうる程度の電位が発生することが確認された。
【００３０】
また、本発明者らは、このような実験例に基づいて、実験漁礁を製作し、海中に沈めて効果を確認したところ、電位界着床生育空間７を形成しない同じ構造のものに比べて、海草類等の繁殖も早く、魚類の棲み付き易い成育環境が確保されていることが確認された。
【００３１】
このように本発明の人工漁礁Ａによれば、海中での過酷な自然環境下に影響されることなく、簡易な方法で、動植物に有益な電位界着床生育空間７を確保することができる。
【産業上の利用可能性】
【００３２】
本発明は、人工漁礁として有効に利用することが可能である。
【図面の簡単な説明】
【００３３】
【図１】本発明に係る人工漁礁の基本構造を示す一実施例の全体斜視図である。
【図２】本発明に係る人工漁礁を構成する培養ユニットの一実施例を示す概略斜視図である。
【図３】（ａ）、（ｂ）は、本発明に係る人工漁礁の基本原理を説明する図である。
【符号の説明】
【００３４】
Ａ    人工漁礁
３    培養ユニット
４    多孔性無機質材
５    着床空間
６    導電性基質材
７    電位界着床生育空間
【図１】
2005137239.tif 000003
【図２】
2005137239.tif 000004
【図３】
2005137239.tif 000005